【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
ｉ）第１の受信機と通信しようとする第１の送信機からの第１の送信要求信号またはｉｉ）前記第１の受信機からの第１の送信可信号のうちの少なくとも１つを第２の送信機において受信することと、
前記第１の送信要求信号および前記第１の送信可信号のうちの１つから第１の送信時間期間を前記第２の送信機が判断することと、
前記判断された第１の送信時間期間から第２の送信時間期間を前記第２の送信機が判断することであって、前記第１の送信機が、前記第１の送信時間期間中に前記第１の受信機に送信する、と、
第２の送信要求信号を送信するより前に、キャリア検知機能を無効化することと、
前記第１の送信時間期間中に前記第２の送信要求信号を第２の受信機に前記第２の送信機から送信することであって、前記第２の送信要求信号が、前記第２の送信時間期間を示す情報を含む、と
を備える、ワイヤレス通信デバイスを動作させる方法。
【請求項２】
前記第２の送信要求信号を送信するより前に、前記第１の送信時間期間を送信制御しきい値と比較することと、
前記比較の結果に基づいて前記第２の送信要求信号の送信を続けるべきか否かの決定を行うことと
をさらに備える、請求項１に記載の方法。
【請求項３】
前記第１の送信時間期間が第１のデータ送信期間を含み、
前記第１の送信時間期間中に前記第２の送信要求信号を送信することが、前記第１のデータ送信時間期間中に前記第２の送信要求信号を送信することを含む、請求項１に記載の方法。
【請求項４】
前記第２の受信機へのデータ送信を続けるより前に、前記第２の受信機からの第２の送信可信号を監視すること
をさらに備える、請求項３に記載の方法。
【請求項５】
前記第２の送信要求信号中で第２の送信時間期間を示すことであって、前記第２の送信時間期間が、前記第１のデータ送信時間期間の前に、または前記第１のデータ送信時間期間と同時に終了する第２のデータ送信時間期間を含む、
をさらに備える、請求項３に記載の方法。
【請求項６】
前記第２の送信時間期間が前記第２の送信要求信号中の値によって通信される、請求項５に記載の方法。
【請求項７】
前記第２のデータ送信時間期間中に送信され得るデータ量を判断することと、
送信され得る前記判断されたデータ量に応じて前記第２のデータ送信時間期間中に送信されるべきパケットデータに対してパケット断片化動作を実行することと
をさらに備える、請求項５に記載の方法。
【請求項８】
前記監視することが所定の時間期間内に前記第２の送信可信号を検出することができないとき、前記第１のデータ送信時間期間の終了までスリープ状態に入ること
をさらに備える、請求項４に記載の方法。
【請求項９】
前記第２の送信要求信号を受信する前記第２の受信機は、前記第２の受信機において受信された前記第１および第２の送信要求信号から生成された信号対干渉比が所定のしきい値を上回るときのみ、前記第２の送信可信号を送信する、請求項４に記載の方法。
【請求項１０】
ｉ）第１の受信機と通信しようとする第１の送信機からの第１の送信要求信号またはｉｉ）前記第１の受信機からの第１の送信可信号のうちの少なくとも１つを第２の送信機において受信するための手段と、
前記第１の送信要求信号および前記第１の送信可信号のうちの１つから第１の送信時間期間を前記第２の送信機が判断するための手段と、
前記判断された第１の送信時間期間から第２の送信時間期間を前記第２の送信機が判断するための手段であって、前記第１の送信機が、前記第１の送信時間期間中に前記第１の受信機に送信する、と、
第２の送信要求信号を送信するより前に、キャリア検知機能を無効化するための手段と、
前記第１の送信時間期間中に前記第２の送信要求信号を第２の受信機に前記第２の送信機から送信するための手段であって、前記第２の送信要求信号が、前記第２の送信時間期間を示す情報を含む、と
を備えるワイヤレス通信デバイス。
【請求項１１】
前記第２の送信要求信号を送信するより前に、前記第１の送信時間期間を送信制御しきい値と比較するための手段と、
前記比較の結果に基づいて前記第２の送信要求信号の送信を続けるべきか否かの決定を行うための手段と
をさらに備える、請求項１０に記載のワイヤレス通信デバイス。
【請求項１２】
前記第１の送信時間期間が第１のデータ送信期間を含み、
前記第１の送信時間期間中に前記第２の送信要求信号を送信するための前記手段が、前記第１のデータ送信時間期間中に前記第２の送信要求信号を送信するための手段を含む、請求項１０に記載のワイヤレス通信デバイス。
【請求項１３】
前記第２の受信機へのデータ送信を続けるより前に、前記第２の受信機からの第２の送信可信号を監視するための手段をさらに備える、請求項１２に記載のワイヤレス通信デバイス。
【請求項１４】
前記第２の送信要求信号中で第２の送信時間期間を示すための手段であって、前記第２の送信時間期間が、前記第１のデータ送信時間期間の前に、または前記第１のデータ送信時間期間と同時に終了する第２のデータ送信時間期間を含む、をさらに備える、請求項１２に記載のワイヤレス通信デバイス。
【請求項１５】
ワイヤレス通信デバイスにおいて使用するコンピュータプログラム製品であって、前記コンピュータプログラム製品が、
ｉ）第１の受信機と通信しようとする第１の送信機からの第１の送信要求信号またはｉｉ）前記第１の受信機からの第１の送信可信号のうちの少なくとも１つを受信することを第２の送信機の少なくとも１つのコンピュータに行わせるためのコードと、
前記第１の送信要求信号および前記第１の送信可信号のうちの１つから第１の送信時間期間を判断することを前記第２の送信機の前記少なくとも１つのコンピュータに行わせるためのコードと、
前記判断された第１の送信時間期間から第２の送信時間期間を判断することを前記第２の送信機の前記少なくとも１つのコンピュータに行わせるためのコードであって、前記第１の送信機が、前記第１の送信時間期間中に前記第１の受信機に送信する、と、
第２の送信要求信号を送信するより前に、キャリア検知機能を無効化することを前記第２の送信機の前記少なくとも１つのコンピュータに行わせるためのコードと、 前記第１の送信時間期間中に前記第２の送信要求信号を第２の受信機に送信することを前記第２の送信機の前記少なくとも１つのコンピュータに行わせるためのコードであって、前記第２の送信要求信号が、前記第２の送信時間期間を示す情報を含む、と
を備える非一時的コンピュータ可読媒体
を備える、コンピュータプログラム製品。
【請求項１６】
ｉ）第１の受信機と通信しようとする第１の送信機からの第１の送信要求信号またはｉｉ）前記第１の受信機からの第１の送信可信号のうちの少なくとも１つを第２の送信機において受信することと、
前記第１の送信要求信号および前記第１の送信可信号のうちの１つから第１の送信時間期間を前記第２の送信機が判断することと、
前記判断された第１の送信時間期間から第２の送信時間期間を前記第２の送信機が判断することであって、前記第１の送信機が、前記第１の送信時間期間中に前記第１の受信機に送信する、と、
第２の送信要求信号を送信するより前に、キャリア検知機能を無効化することと、
前記第１の送信時間期間中に前記第２の送信要求信号を第２の受信機に前記第２の送信機から送信することであって、前記第２の送信要求信号が、前記第２の送信時間期間を示す情報を含む、送信することと
を行うように構成された少なくとも１つのプロセッサと、
前記少なくとも１つのプロセッサに結合されたメモリと
を備えるワイヤレス通信デバイス。
【請求項１７】
前記少なくとも１つのプロセッサが、
前記第２の送信要求信号を送信するより前に、前記第１の送信時間期間を送信制御しきい値と比較することと、
前記比較の結果に基づいて前記第２の送信要求信号の送信を続けるべきか否かの決定を行うことと
を行うようにさらに構成された、請求項１６に記載のワイヤレス通信デバイス。
【請求項１８】
前記第１の送信時間期間が第１のデータ送信期間を含み、
前記少なくとも１つのプロセッサが、前記第１の送信時間期間中に前記第２の送信要求信号を送信するように構成されることの一部として、前記第１のデータ送信時間期間中に前記第２の送信要求信号を送信するようにさらに構成された、請求項１６に記載のワイヤレス通信デバイス。
【請求項１９】
前記少なくとも１つのプロセッサが、前記第２の受信機へのデータ送信を続けるより前に、前記第２の受信機からの第２の送信可信号を監視すること
を行うようにさらに構成された、請求項１８に記載のワイヤレス通信デバイス。
【請求項２０】
前記少なくとも１つのプロセッサが、前記第２の送信要求信号中で第２の送信時間期間を示すことであって、前記第２の送信時間期間が、前記第１のデータ送信時間期間の前に、または前記第１のデータ送信時間期間と同時に終了する第２のデータ送信時間期間を含む、示すこと
を行うようにさらに構成された、請求項１８に記載のワイヤレス通信デバイス。
【手続補正２】
【補正対象書類名】明細書
【補正対象項目名】００８８
【補正方法】変更
【補正の内容】
【００８８】
上記の説明に鑑みて、上記で説明した様々な実施形態の方法および装置に関する多数の追加の変形形態が当業者には明らかであろう。そのような変形形態は範囲内に入ると考えるべきである。本方法および本装置は、符号分割多元接続（ＣＤＭＡ）、ＯＦＤＭ、および／または通信デバイス間のワイヤレス通信リンクを与えるために使用され得る様々な他のタイプの通信技法とともに使用され得、様々な実施形態において使用される。いくつかの実施形態では、１つまたは複数の通信デバイスは、ＯＦＤＭおよび／またはＣＤＭＡを使用してモバイルノードとの通信リンクを確立し、ならびに／あるいはワイヤードまたはワイヤレス通信リンクを介してインターネットまたは別のネットワークへの接続性を与え得る、アクセスポイントとして実装される。様々な実施形態では、モバイルノードは、本方法を実装するための、受信機／送信機回路ならびに論理および／またはルーチンを含む、ノートブックコンピュータ、個人情報端末（ＰＤＡ）、または他のポータブルデバイスとして実装される。
以下に本願発明の当初の特許請求の範囲に記載された発明を付記する。
［Ｃ１］  ｉ）第１の受信機と通信しようとする第１の送信機からの第１の送信要求信号またはｉｉ）前記第１の受信機からの第１の送信可信号のうちの少なくとも１つを受信することと、
前記第１の送信要求信号および前記第１の送信可信号のうちの１つから第１の送信時間期間を判断することと、
前記判断された第１の送信時間期間から第２の送信時間期間を判断することと、
第２の送信要求信号を第２の受信機に送信することであって、前記第２の送信要求信号が、前記第２の送信時間期間を示す情報を含む、と
を備える、ワイヤレス通信デバイスを動作させる方法。
［Ｃ２］  前記第２の送信要求信号を送信するより前に、前記第１の送信時間期間を送信制御しきい値と比較することと、
前記比較の結果に基づいて前記第２の送信要求信号の送信を続けるべきか否かの決定を行うことと
をさらに備える、Ｃ１に記載の方法。
［Ｃ３］  前記第１の送信時間期間が第１のデータ送信期間を含み、
前記第２の送信要求信号を送信することが、前記第１のデータ送信時間期間中に前記第２の送信要求信号を送信することを含む、Ｃ１に記載の方法。
［Ｃ４］  前記第２の受信機へのデータ送信を続けるより前に、前記第２の受信機からの第２の送信可信号を監視すること
をさらに備える、Ｃ３に記載の方法。
［Ｃ５］  前記第２の送信要求信号中で第２の送信時間期間を示すことであって、前記第２の送信時間期間が、前記第１のデータ送信時間期間の前に、または前記第１のデータ送信時間期間と同時に終了する第２のデータ送信時間期間を含む、をさらに備える、Ｃ３に記載の方法。
［Ｃ６］  前記第２の送信時間期間が前記第２の送信要求信号中の値によって通信される、Ｃ５に記載の方法。
［Ｃ７］  前記第２のデータ送信時間期間中に送信され得るデータ量を判断することと、
送信され得る前記判断されたデータ量に応じて前記第２のデータ送信時間期間中に送信されるべきパケットデータに対してパケット断片化動作を実行することと
をさらに備える、Ｃ５に記載の方法。
［Ｃ８］  前記監視することが所定の時間期間内に前記第２の送信可信号を検出することができないとき、前記第１のデータ送信時間期間の終了までスリープ状態に入ること
をさらに備える、Ｃ４に記載の方法。
［Ｃ９］  前記第２の送信要求信号を受信する前記第２の受信機は、前記第２の受信機において受信された前記第１および第２の送信要求信号から生成された信号対干渉比が所定のしきい値を上回るときのみ、前記第２の送信可信号を送信する、Ｃ４に記載の方法。
［Ｃ１０］  ｉ）第１の受信機と通信しようとする第１の送信機からの第１の送信要求信号またはｉｉ）前記第１の受信機からの第１の送信可信号のうちの少なくとも１つを受信するための手段と、
前記第１の送信要求信号および前記第１の送信可信号のうちの１つから第１の送信時間期間を判断するための手段と、
前記判断された第１の送信時間期間から第２の送信時間期間を判断するための手段と、
第２の送信要求信号を第２の受信機に送信するための手段であって、前記第２の送信要求信号が、前記第２の送信時間期間を示す情報を含む、と
を備えるワイヤレス通信デバイス。
［Ｃ１１］  前記第２の送信要求信号を送信するより前に、前記第１の送信時間期間を送信制御しきい値と比較するための手段と、
前記比較の結果に基づいて前記第２の送信要求信号の送信を続けるべきか否かの決定を行うための手段と
をさらに備える、Ｃ１０に記載のワイヤレス通信デバイス。
［Ｃ１２］  前記第１の送信時間期間が第１のデータ送信期間を含み、
前記第２の送信要求信号を送信するための前記手段が、前記第１のデータ送信時間期間中に前記第２の送信要求信号を送信するための手段を含む、Ｃ１０に記載のワイヤレス通信デバイス。
［Ｃ１３］  前記第２の受信機へのデータ送信を続けるより前に、前記第２の受信機からの第２の送信可信号を監視するための手段をさらに備える、Ｃ１２に記載のワイヤレス通信デバイス。
［Ｃ１４］  前記第２の送信要求信号中で第２の送信時間期間を示すための手段であって、前記第２の送信時間期間が、前記第１のデータ送信時間期間の前に、または前記第１のデータ送信時間期間と同時に終了する第２のデータ送信時間期間を含む、をさらに備える、Ｃ１２に記載のワイヤレス通信デバイス。
［Ｃ１５］  ワイヤレス通信デバイスにおいて使用するコンピュータプログラム製品であって、前記コンピュータプログラム製品が、
ｉ）第１の受信機と通信しようとする第１の送信機からの第１の送信要求信号またはｉｉ）前記第１の受信機からの第１の送信可信号のうちの少なくとも１つを受信することを少なくとも１つのコンピュータに行わせるためのコードと、
前記第１の送信要求信号および前記第１の送信可信号のうちの１つから第１の送信時間期間を判断することを前記少なくとも１つのコンピュータに行わせるためのコードと、
前記判断された第１の送信時間期間から第２の送信時間期間を判断することを前記少なくとも１つのコンピュータに行わせるためのコードと、
第２の送信要求信号を第２の受信機に送信することを前記少なくとも１つのコンピュータに行わせるためのコードであって、前記第２の送信要求信号が、前記第２の送信時間期間を示す情報を含む、と
を備える非一時的コンピュータ可読媒体
を備える、コンピュータプログラム製品。
［Ｃ１６］  ｉ）第１の受信機と通信しようとする第１の送信機からの第１の送信要求信号またはｉｉ）前記第１の受信機からの第１の送信可信号のうちの少なくとも１つを受信することと、
前記第１の送信要求信号および前記第１の送信可信号のうちの１つから第１の送信時間期間を判断することと、
前記判断された第１の送信時間期間から第２の送信時間期間を判断することと、
第２の送信要求信号を第２の受信機に送信することであって、前記第２の送信要求信号が、前記第２の送信時間期間を示す情報を含む、送信することと
を行うように構成された少なくとも１つのプロセッサと、
前記少なくとも１つのプロセッサに結合されたメモリと
を備えるワイヤレス通信デバイス。
［Ｃ１７］  前記少なくとも１つのプロセッサが、
前記第２の送信要求信号を送信するより前に、前記第１の送信時間期間を送信制御しきい値と比較することと、
前記比較の結果に基づいて前記第２の送信要求信号の送信を続けるべきか否かの決定を行うことと
を行うようにさらに構成された、Ｃ１６に記載のワイヤレス通信デバイス。
［Ｃ１８］  前記第１の送信時間期間が第１のデータ送信期間を含み、
前記少なくとも１つのプロセッサが、前記第２の送信要求信号を送信するように構成されることの一部として、前記第１のデータ送信時間期間中に前記第２の送信要求信号を送信するようにさらに構成された、Ｃ１６に記載のワイヤレス通信デバイス。
［Ｃ１９］  前記少なくとも１つのプロセッサが、前記第２の受信機へのデータ送信を続けるより前に、前記第２の受信機からの第２の送信可信号を監視すること
を行うようにさらに構成された、Ｃ１８に記載のワイヤレス通信デバイス。
［Ｃ２０］  前記少なくとも１つのプロセッサが、前記第２の送信要求信号中で第２の送信時間期間を示すことであって、前記第２の送信時間期間が、前記第１のデータ送信時間期間の前に、または前記第１のデータ送信時間期間と同時に終了する第２のデータ送信時間期間を含む、示すこと
を行うようにさらに構成された、Ｃ１８に記載のワイヤレス通信デバイス。